(57)【特許請求の範囲】
【請求項１】
通風路に設置される換気用システム部材であって、
円筒形状の接続筒部と、該接続筒部の一端部から拡径方向に張り出したフランジ部と、前記接続筒部の一端部側の開口端を横断するガイドレールとを備えたフランジ部材と、
前記フランジ部材の前面に係脱可能に装着されるグリル部材と、
前記ガイドレール上を摺動し、前記開口端を開放する第１の位置と閉塞する第２の位置との間を移動する一対の風量調節部材とを有し、
前記風量調節部材は、前記ガイドレールと対向する側に突起が形成されており、
前記ガイドレールは、前記風量調節部材の前記突起と係合する溝が複数形成されており、
前記突起と前記溝とが係合した状態において、前記風量調節部材の移動が規制されることを特徴とする換気用システム部材。
【請求項２】
前記フランジ部は、前記開口端の開口度を示す複数の表示部を備え、
前記溝は、複数の前記表示部と同数が同じ間隔で配置されており、
前記風量調節部材は、複数の前記表示部のうち前記風量調節部材の配置位置に対応する開口度のものを指し示すインジケータを有することを特徴とする請求項１に記載の換気用システム部材。
【請求項３】
前記風量調節部材は、前記グリル部材と対向する面に、摺動操作の際に用いられる指掛け部を備えることを特徴とする請求項１又は２に記載の換気用システム部材。
【請求項４】
請求項１から３のいずれか１項に記載の換気用システム部材を有することを特徴とする換気扇。
【発明の詳細な説明】
【技術分野】
【０００１】
本発明は、風量調節機能を有する換気用システム部材及びこれを備えた換気扇に関する。
【背景技術】
【０００２】
給気又は排気のための通風路に設置される換気扇が備える換気用システム部材には、特許文献１に開示されるように、施工性及びデザイン性が良く、部品点数が少なく薄型化の可能な風量調節機能を備えたものがある。
【先行技術文献】
【特許文献】
【０００３】
【特許文献１】特開平８−１５２１８６号公報
【発明の概要】
【発明が解決しようとする課題】
【０００４】
しかしながら、特許文献１に開示される発明は、風量調節時の利便性について考慮されていない。したがって、特許文献１に開示される発明は、風量調節部材を固定する機能がなく、振動発生時、地震発生時又は清掃の際に触れてしまった時に風量調節部材の位置が移動してしまい、初期の風量調節の位置が不明になるという課題がある。【０００５】
本発明は、上記に鑑みてなされたものであって、風量調整部材が意図せずに移動してしまうことを防止して固定できる換気用システム部材を得ることを目的とする。
【課題を解決するための手段】
【０００６】
上述した課題を解決し、目的を達成するために、本発明は、通風路に設置される換気用システム部材であって、円筒形状の接続筒部と、接続筒部の一端部から拡径方向に張り出したフランジ部と、接続筒部の一端部側の開口端を横断するガイドレールとを備えたフランジ部材と、フランジ部材の前面に係脱可能に装着されるグリル部材と、ガイドレール上を摺動し、開口端を開放する第１の位置と閉塞する第２の位置との間を移動する一対の風量調節部材とを有する。風量調節部材は、ガイドレールと対向する側に突起が形成されている。ガイドレールは、風量調節部材の突起と係合する溝が複数形成されている。突起と溝とが係合した状態において、風量調節部材の移動が規制される。
【発明の効果】
【０００７】
本発明によれば、風量調整部材が意図せずに移動してしまうことを防止して固定できる換気用システム部材を得られるという効果を奏する。
【図面の簡単な説明】
【０００８】
【図１】本発明の実施の形態に係る通風端末器の取付け状態を示した断面図
【図２】実施の形態に係る通風端末器の展開斜視図
【図３】実施の形態に係る通風端末器の風量調節部材が開口端を開放している状態での正面図
【図４】実施の形態に係る通風端末器に取付けるグリル部材の正面図
【図５】実施の形態に係る通風端末器のグリル部材の背面図
【図６】実施の形態に係る通風端末器のグリル部材の断面図
【図７】実施の形態に係る通風端末器のフランジ部の掛止構造とグリル部材内側に設けられた突起の引掛りを示した詳細断面図
【図８】実施の形態に係る通風端末器の風量調節部材が開口端を閉塞している状態をグリル部材を省いて示す正面図
【図９】実施の形態に係る通風端末器のグリル部材及び風量調節部材を省いた正面図
【図１０】実施の形態に係る通風端末器の風量調節部材の正面図
【図１１】実施の形態に係る通風端末器の風量調節部材の側面図
【図１２】実施の形態に係る通風端末器の風量調節部材の断面図
【図１３】実施の形態に係る通風端末器の風量調節部材の背面斜視図
【図１４】実施の形態に係る通風端末器の風量調節部材の取付状態を示した図
【図１５】実施の形態に係る通風端末器の風量調節部材の取付状態を示した図
【図１６】実施の形態に係る換気扇の構成を示す図
【発明を実施するための形態】
【０００９】
以下に、本発明の実施の形態に係る換気用システム部材及び換気扇を図面に基づいて詳細に説明する。なお、この実施の形態によりこの発明が限定されるものではない。
【００１０】
実施の形態．
図１は、本発明の実施の形態に係る通風端末器の取付け状態を示した断面図である。図２は、実施の形態に係る通風端末器の展開斜視図である。実施の形態に係る換気用システム部材である通風端末器１は、給気又は排気のための通風路を構成するダクト７の室内側の端末部に装着される。室内における装着位置は、天井面、壁面又は床面である。通風端末器１は、樹脂製のフランジ部材４と、フランジ部材４の前面を覆う樹脂製のグリル部材５とから構成されている。グリル部材５は、フランジ部材４の前面に係脱可能に装着される。フランジ部材４は、通風路の室内開口端に嵌合接続される両端の開口した接続筒部２と、接続筒部２の一端から接続筒部２の中心軸から遠ざかる方向に延びたフランジ部３とが一体に形成されている。フランジ部材４の前面の中央には、接続筒部２と連通する開口端１３が開口している。
【００１１】
フランジ部材４は、接続筒部２をダクト７へ嵌め込むことにより、外周に取り付けたフォーム材６の圧縮に対する反作用の力でダクト７に仮固定され、かつ接続筒部２とダクト７の隙間を塞ぐ構造である。
【００１２】
図３は、実施の形態に係る通風端末器の風量調節部材が開口端を開放している状態での正面図である。図３では、グリル部材５の図示は省略している。フランジ部３は、正方形の平面形状に形成され、その四辺をなす側面には、隅部寄りにそれぞれ一つずつ、全側面では８個のアーチ状の掛止構造９が形成されている。対向する二辺においては、辺に沿った掛止構造９同士の間隔は等しくなっている。各掛止構造９には、フランジ部３の中心に向かって弾性変形が可能なようにアーチ状のスリット１０が形成されている。
【００１３】
図４は、実施の形態に係る通風端末器に取付けるグリル部材の正面図である。図５は、実施の形態に係る通風端末器のグリル部材の背面図である。図６は、実施の形態に係る通風端末器のグリル部材の断面図であり、図５中のVI-VI線に沿った断面を示している。図７は、実施の形態に係る通風端末器のフランジ部の掛止構造とグリル部材内側に設けられた突起の引掛りを示した詳細断面図である。グリル部材５は、図４に示すように、平面形状が正方形とされている。グリル部材５の前面には、複数の傾斜したブレード１１を備えた通風構造が形成されている。図５及び図６に示すように、グリル部材５の二組の対向する二辺のうち一方の組の二辺には、フランジ部材４に形成された掛止構造９に係脱可能に掛け止まる凸形状の突起１２が、一辺に２個ずつ形成されている。突起１２を使うことにより、接続筒部２の中心軸回りに９０度ずつ向きを変えた四通りの姿勢のいずれかでグリル部材５をフランジ部材４に装着することができる。したがって、グリル部材５の姿勢によってブレード１１の向きを変えることができ、風の吹き出し方向及び吸い込み方向を固定構造のブレード１１の向きによって変更可能となる。なお、図６においては、風の吹き出し方向を矢印によって示している。
【００１４】
図８は、実施の形態に係る通風端末器の風量調節部材が開口端を閉塞している状態をグリル部材を省いて示す正面図である。図９は、実施の形態に係る通風端末器のグリル部材及び風量調節部材を省いた正面図である。開口端１３の周りには、凹部１６が設けられている。開口端１３には、フランジ部３を対角方向に沿って横断する扁平板状のガイドレール１４が設けられている。また、開口端１３には、ガイドレール１４とは異なる対角方向に沿って横断し、ガイドレール１４と合わせて十文字の枠構造となる補強リブ１５が設けられている。ガイドレール１４及び補強リブ１５の前面は、フランジ部３の凹部１６の底にあたる部分と同一面に形成されている。フランジ部３の前面の凹部１６には、半円形状である二枚の風量調節部材８が、ガイドレール１４に沿ってフランジ部３の対角方向へスライドできるように嵌め込まれ装着されている。風量調節部材８は、凹部１６を補強リブ１５で２等分した面積の半分程の面積である。二枚の風量調節部材８は、開口端１３を開放する第１の位置と開口端１３を閉塞する第２の位置との間を各々独立してガイドレール１４に沿ってスライドする。実施の形態においては、ガイドレール１４の端部寄りに第１の位置があり、ガイドレール１４の中央部に第２の位置がある。風量調節部材８は、第２の位置に配置されたときに円形をなすように、半円形の弦同士が向かい合っている。
【００１５】
図１０は、実施の形態に係る通風端末器の風量調節部材の正面図である。図１１は、実施の形態に係る通風端末器の風量調節部材の側面図である。図１２は、実施の形態に係る通風端末器の風量調節部材の断面図である。図１２は、図１０におけるXII-XII線に沿った断面を示している。図１３は、実施の形態に係る通風端末器の風量調節部材の背面斜視図である。図１４は、実施の形態に係る通風端末器の風量調節部材の取付状態を示した図である。図１４は、図３におけるXIV-XIV線に沿った断面を示している。各風量調節部材８は、掛止め摺動部１７がガイドレール１４を抱え込み、かつ先端に接触面積が広い幅広のフック１８により抜け止めされて、ガイドレール１４に装着されている。風量調節部材８には指掛け部１９が形成されており、風量調節時に指掛け部１９に指を掛け風量調節部材８をスムーズにスライドできるようになっている。上記のように、補強リブ１５の前面はフランジ部３と同一面に形成されているため、風量調節部材８が開口端１３を閉塞している時は風量調節部材８同士で密着が可能となり、補強リブ１５を細くすることが可能で送風性能の妨げを抑制可能にしている。
【００１６】
図３及び図８に示すように、フランジ部３の前面の凹部１６の縁部には、風量調節部材８の摺動位置に対応した開口端１３の開口度を示す表示部２０が付されており、各風量調節部材８には表示部２０に一致させることにより開口端１３の開口度が表示部２０と一致するインジケータ２１がそれぞれ付されている。表示部２０は、各風量調節部材８に設けられたそれぞれのインジケータ２１が示す数値の総和で表される。
【００１７】
図１５は、実施の形態に係る通風端末器の風量調節部材の取付状態を示した図である。図１５は、図３におけるXV-XV線に沿った断面を示している。ガイドレール１４の上には、同形状の溝２２が、補強リブ１５を線対称の中心線にして形成されている。溝２２の間隔は表示部２０の目盛りと同じ間隔となっている。溝２２は、風量調節部材８のフランジ面側に形成されている突起２３が係り合う形状になっており、補強リブ１５側に一番近い溝２２に係り合うときインジケータ２１は表示部２０の０を指し示す。溝２２と突起２３との係合により、設定した開口面積となる位置に風量調節部材８を固定することが可能となり、振動による風量調節部材８の移動及び自重による風量調節部材８の移動を抑制することが可能となる。
【００１８】
図１６は、実施の形態に係る換気扇の構成を示す図である。接続筒部２の内部にファン３０が設置されることにより、換気扇４０が構成されている。すなわち、実施の形態に係る換気扇４０は、換気用システム部材である通風端末器１とファン３０とを備えている。実施の形態に係る換気扇４０は、実施の形態に係る通風端末器１と同様に、振動による風量調節部材８の移動及び自重による風量調節部材８の移動を抑制することが可能である。
【００１９】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００２０】
１  通風端末器、２  接続筒部、３  フランジ部、４  フランジ部材、５  グリル部材、６  フォーム材、７  ダクト、８  風量調節部材、９  掛止構造、１０  スリット、１１  ブレード、１２，２３  突起、１３  開口端、１４  ガイドレール、１５  補強リブ、１６  凹部、１７  掛止め摺動部、１８  フック、１９  指掛け部、２０  表示部、２１  インジケータ、２２  溝、３０  ファン、４０  換気扇。
【図１】
0006611961.tif 000002
【図２】
0006611961.tif 000003
【図３】
0006611961.tif 000004
【図４】
0006611961.tif 000005
【図５】
0006611961.tif 000006
【図６】
0006611961.tif 000007
【図７】
0006611961.tif 000008
【図８】
0006611961.tif 000009
【図９】
0006611961.tif 000010
【図１０】
0006611961.tif 000011
【図１１】
0006611961.tif 000012
【図１２】
0006611961.tif 000013
【図１３】
0006611961.tif 000014
【図１４】
0006611961.tif 000015
【図１５】
0006611961.tif 000016
【図１６】
0006611961.tif 000017